(57)【要約】      （修正有）【課題】  他のカラオケボックスを使用中の知人とコミュニケーションをすることができる通信カラオケシステム用通信装置を提供する。【解決手段】  カラオケ演奏端末３０に顧客ＩＤが照合基礎ＩＤとして入力されると、顧客ＩＤ照合部５３は、照合基礎ＩＤに関連付けられて顧客ＩＤ登録部５２に登録された他の顧客ＩＤと、現在何れかのカラオケ演奏端末３０を使用中の顧客の顧客ＩＤとを照合し、照合結果ＩＤとして出力する。顧客ＩＤ表示部５４は、照合基礎ＩＤと照合結果ＩＤそれぞれを有する顧客の使用しているカラオケ演奏端末３０に相手方の顧客ＩＤを表示し、双方から通信承諾指令が通信承諾指令受信部５５に送信されると、通信接続部５６が２つのカラオケ演奏端末３０間を接続し、通信可能な状態とする。【選択図】      図１
2006234890.tif 000002
【特許請求の範囲】
【請求項１】
マイク、スピーカ及びディスプレイをそれぞれ備えた複数の各カラオケ演奏端末と、通信回線網を介して各カラオケ演奏端末にカラオケデータを配信する配信サーバとを含み、通信回線網を通じて送信された顧客ＩＤを用いて顧客及びカラオケ演奏端末の利用状況を管理することのできる通信カラオケシステムに適用される通信カラオケシステム用通信装置であって、
複数の顧客ＩＤ及び各顧客ＩＤごとに関連づけられた他の顧客ＩＤが予め登録されたＩＤ登録手段と、
カラオケ演奏端末を利用している顧客の顧客ＩＤである照合基礎ＩＤに関連付けられている他の顧客ＩＤをＩＤ登録手段から読み出して、カラオケ演奏端末を現在使用中の顧客の顧客ＩＤと照合し、関連付けられかつ使用中の顧客ＩＤを照合結果ＩＤとして出力するＩＤ照合手段と、
通信回線網を通じて、照合結果ＩＤが入力されたカラオケ演奏端末のディスプレイに照合基礎ＩＤを送信して表示させ、照合基礎ＩＤが入力されたカラオケ演奏端末のディスプレイに照合結果ＩＤを送信して表示させるＩＤ表示手段と、
それぞれのカラオケ演奏端末の操作により通信を承諾することのできる通信承諾画面をそれぞれのカラオケ演奏端末のディスプレイに送信して表示させるとともに、各カラオケ演奏端末から通信承諾指令を受信する通信承諾指令受信手段と、
ＩＤ表示手段が照合基礎ＩＤを表示したカラオケ演奏端末と、ＩＤ表示手段が照合結果ＩＤを表示したカラオケ演奏端末との両方から通信承諾指令受信手段が通信承諾指令を受信した時に、２つのカラオケ演奏端末を通信回線網を介して相互に通信可能に接続する通信接続手段とを含むことを特徴とする通信カラオケシステム用通信装置。
【請求項２】
ＩＤ照合手段は、カラオケ演奏端末の操作により照合動作を行う請求項１に記載の通信カラオケシステム用通信装置。
【請求項３】
ＩＤ照合手段は、カラオケ演奏端末に顧客ＩＤを入力する操作を行った時に照合動作を行う請求項１または２に記載の通信カラオケシステム用通信装置。
【請求項４】
通信手段は通信可能な一方のカラオケ演奏端末のマイクにより集音され、通信回線網を介して受信された音声データを他方のカラオケ演奏端末に通信回線網を介して送信する請求項１ないし３のいずれかに記載の通信カラオケシステム用通信装置。
【請求項５】
各カラオケ演奏端末は撮像手段を備え、通信手段は通信可能な一方のカラオケ演奏端末の撮像手段により撮像され、通信回線網を介して受信された画像データを他方のカラオケ演奏端末に通信回線網を介して送信する請求項４に記載の通信カラオケシステム用通信装置。
【請求項６】
通信可能な一方のカラオケ演奏端末において選択された楽曲のカラオケデータを他方のカラオケ演奏端末にも配信するように配信サーバに指示を与え、同期してスタートするように両方のカラオケ演奏端末を制御する同期スタート制御手段をさらに含む請求項４または５に記載の通信カラオケシステム用通信装置。
【請求項７】
顧客ＩＤは複数桁の数字である請求項１ないし６のいずれかに記載の通信カラオケシステム用通信装置。
【請求項８】
ＩＤ登録手段には、各顧客に関する情報が各顧客ＩＤにそれぞれ関連付けられて登録され、
ＩＤ表示手段は、顧客ＩＤとともに、該顧客ＩＤに関連付けられた顧客に関する情報をＩＤ登録手段から読み出して表示させる請求項１ないし７のいずれかに記載の通信カラオケシステム用通信装置。
【請求項９】
各利用者に関する情報は、各顧客のニックネームである請求項８に記載の通信カラオケシステム用通信装置。
【発明の詳細な説明】
【技術分野】
【０００１】
本発明は、マイク、スピーカ及びディスプレイをそれぞれ備えた複数の各カラオケ演奏端末と、通信回線網を介して各カラオケ演奏端末にカラオケデータを配信する配信サーバとを含み、通信回線網を通じて送信された顧客ＩＤを用いて顧客及びカラオケ演奏端末の利用状況を管理することのできる通信カラオケシステムに関し、特に別のカラオケ演奏端末を利用中の知人同士で相互に通信可能な通信カラオケシステム用通信装置に関する。
【背景技術】
【０００２】
マイク、スピーカ及びディスプレイをそれぞれ備えた複数の各カラオケ演奏端末と、通信回線網を介して各カラオケ演奏端末に楽曲データ及び画像データを含むカラオケデータを配信する配信サーバとを含み、通信回線網を通じて送信された顧客ＩＤを用いて顧客及びカラオケ演奏端末の利用状況を管理することのできる通信カラオケシステムが利用されている。カラオケ演奏端末は多くはカラオケボックスに設置されている。顧客ＩＤは、各顧客ごとに、使用しているカラオケ演奏端末の号機、使用時間、使用頻度、歌った楽曲などのデータを収集して営業活動に役立てたり、会計や飲食物の注文の事務を行ったりして顧客を管理するために利用されて、あるいは利用することが提案されている。
【０００３】
近年、カラオケといえばカラオケボックスを指すことが一般的な認識となると共に、カラオケボックスの密室化が進み、一つのカラオケボックスごとの同伴者の数は激減する傾向にある。これは犯罪発生の一つの要因ともなり、社会的には社交性が減退し、社会問題ともなっている。
【０００４】
特開平９−３１９３８６号には、顧客ごとに顧客情報を記録しておいて、顧客情報の内容に基づいて該顧客向けのメッセージを作成するように構成された通信カラオケシステムが開示されている。特開平１０−２６８８８５号にはカラオケボックス利用者についてのプロフィール情報が他のカラオケ端末に供給される情報提供システムが開示されている。特開平１１−２０２８７９号には、カラオケボックスの利用者がアピールファイルを作成して登録しておき、他のカラオケ端末に出力されるコミュニケーション仲介装置が開示されている。
【特許文献１】特開平９−３１９３８６号公報
【特許文献２】特開平１０−２６８８８５号公報
【特許文献２】特開平１１−２０２８７９号公報
【発明の開示】
【発明が解決しようとする課題】
【０００５】
よって本発明の目的は、他のカラオケボックスを使用中の知人がいれば、それを感知してコミュニケーションをすることができる通信カラオケシステム用通信装置を提供することにある。
【課題を解決するための手段】
【０００６】
上記目的を達成するために本発明は、マイク、スピーカ及びディスプレイをそれぞれ備えた複数の各カラオケ演奏端末と、通信回線網を介して各カラオケ演奏端末にカラオケデータを配信する配信サーバとを含み、通信回線網を通じて送信された顧客ＩＤを用いて顧客及びカラオケ演奏端末の利用状況を管理することのできる通信カラオケシステムにおいて、複数の顧客ＩＤ及び各顧客ＩＤごとに関連づけられた他の顧客ＩＤが予め登録されたＩＤ登録手段と、カラオケ演奏端末を利用している顧客の顧客ＩＤである照合基礎ＩＤに関連付けられている他の顧客ＩＤをＩＤ登録手段から読み出して、カラオケ演奏端末を現在使用中の顧客の顧客ＩＤと照合し、関連付けられかつ使用中の顧客ＩＤを照合結果ＩＤとして出力するＩＤ照合手段と、通信回線網を通じて、照合結果ＩＤが入力されたカラオケ演奏端末のディスプレイに照合基礎ＩＤを送信して表示させ、照合基礎ＩＤが入力されたカラオケ演奏端末のディスプレイに照合結果ＩＤを送信して表示させるＩＤ表示手段と、それぞれのカラオケ演奏端末の操作により通信を承諾することのできる通信承諾画面をそれぞれのカラオケ演奏端末のディスプレイに送信して表示させるとともに、各カラオケ演奏端末から通信承諾指令を受信する通信承諾指令受信手段と、ＩＤ表示手段が照合基礎ＩＤを表示したカラオケ演奏端末と、ＩＤ表示手段が照合結果ＩＤを表示したカラオケ演奏端末との両方から通信承諾指令受信手段が通信承諾指令を受信した時に、２つのカラオケ演奏端末を通信回線網を介して相互に通信可能に接続する通信接続手段とを含んで通信カラオケシステム用通信装置を構成した。
【０００７】
本発明に係る通信カラオケシステム用通信装置においては、カラオケボックス等に設置してあるカラオケ演奏端末を利用する顧客は、カラオケ演奏端末を操作して自らの顧客ＩＤと、知り合いの顧客ＩＤを自らの顧客ＩＤに関連付けて予めＩＤ登録手段に登録しておく。顧客がカラオケボックス等に来店した時には、カラオケ演奏端末に自らの顧客ＩＤを入力する。顧客ＩＤは従来行われ、あるいは提案されていたような顧客管理に利用される。ＩＤ照合手段は照合の基礎となる照合基礎ＩＤに関連付けられている他の顧客ＩＤをＩＤ登録手段から読み出し、カラオケ演奏端末を利用している使用中の顧客ＩＤと照合する。照合されたものは照合結果ＩＤとしてＩＤ表示手段に出力され、ＩＤ表示手段はそれぞれのカラオケ演奏端末にＩＤを表示する。すなわち照合基礎ＩＤを有する顧客の利用しているカラオケ演奏端末には照合結果ＩＤを表示し、照合結果ＩＤを有する顧客の利用しているカラオケ演奏端末には照合基礎ＩＤを表示する。照合結果ＩＤ及び照合基礎ＩＤは、通信承諾指令受信手段が送信し、カラオケ演奏端末のディスプレイ上に表示させる通信承諾画面上に表示される。それぞれの顧客は、それぞれカラオケ演奏端末のリモコンや操作パネル等を操作して通信承諾指令受信手段の表示する通信承諾画面上で通信を承諾することができる。両方ともが通信を承諾する操作を行い、通信承諾指令受信手段が通信承諾指令を受信すると、通信手段がそれぞれのカラオケ演奏端末間を通信回線網を介して相互に通信可能とし、照合基礎ＩＤと照合結果ＩＤとをそれぞれ有する顧客同士がカラオケ演奏端末により通信を行うことができる。通信回線網は、専用線や電話回線等である。
【０００８】
ＩＤ照合手段による顧客ＩＤの照合は、カラオケ演奏端末の操作により照合動作を行うようにすれば、知り合いと通信を希望する時に、通信を行うことができる。及び／またはカラオケ演奏端末に顧客ＩＤを入力する操作を行った時に照合動作を行うようにしてもよい。照合を随時行うようにすることもできるが、入力時に照合するようにしておけば、先にカラオケ演奏端末を使用中の顧客は、結局は後から知り合いがカラオケ演奏端末の使用を開始した時に照合されることになるので、ＩＤ照合手段の負担を軽減するためにも入力時の照合のみでも十分に目的は達成できる。
【０００９】
通信は、音声、映像、テキストなどあらゆる送受信可能なデータにより行うことができる。好ましくは、通信手段は通信可能な一方のカラオケ演奏端末のマイクにより集音され、通信回線網を介して受信された音声データを他方のカラオケ演奏端末に通信回線網を介して送信する。また、各カラオケ演奏端末は撮像手段を備え、通信手段は通信可能な一方のカラオケ演奏端末の撮像手段により撮像され、通信回線網を介して受信された画像データを他方のカラオケ演奏端末に通信回線網を介して送信することもできる。マイクを通じて集音された音声データ、または音声データと画像データにより通信を行う場合、相互に通信するカラオケ演奏端末同士の間ではデュエットや合唱が可能となる。その場合、通信可能な一方のカラオケ演奏端末において選択された楽曲のカラオケデータを他方のカラオケ演奏端末にも配信するように配信サーバに指示を与え、同期してスタートするように両方のカラオケ演奏端末を制御する同期スタート制御手段をさらに含むようにする。
【００１０】
顧客ＩＤは複数桁の数字であることが、入力が容易であり好ましい。例えばカラオケ演奏端末を操作するためのリモコンを操作して入力する場合には、数字が最も適している。その他携帯電話の赤外線送信や会員カードとカードリーダなどによっても顧客ＩＤを入力することができる。また、カラオケボックス等の受付において会員カードを読み取ることにより、顧客ＩＤを入力することもできる。同様に、ＩＤ登録手段にもリモコン等を操作して登録を行うことになる。なお、ＩＤ表示手段は複数の照合結果ＩＤが照合された場合には、複数の照合結果ＩＤを並べて表示することができ、その中から通信を欲する相手を選んで１つの照合結果ＩＤを選択し、通信承諾を行うことができる。また照合結果ＩＤを２つ以上選択するようにすることもでき、その場合には通信手段は３つ以上のカラオケ演奏端末を相互に接続して通信を行うことができる。
【００１１】
ＩＤ登録手段には、各顧客に関する情報が各顧客ＩＤにそれぞれ関連付けられて登録され、ＩＤ表示手段は、顧客ＩＤとともに、該顧客ＩＤに関連付けられた顧客に関する情報をＩＤ登録手段から読み出して表示させるようにしてもよい。これは、顧客ＩＤが会員番号など意味のない文字・数字・記号の列だとすると、顧客側が知り合いの顧客ＩＤをメモしていない限り通信可能な相手が誰だか判らないことがあるからである。各顧客に関する情報は、例えば本名や電話番号や居住地や所属（学校や会社）等だが、最も典型的には各顧客のニックネームである。
【００１２】
なお、本発明に係る通信カラオケシステム用通信装置は、コンピュータ及びソフトウェアにより構成可能であることは明らかである。各手段は配信サーバにモジュールとして組み込まれても、物理的に独立した１台以上のコンピュータが配信サーバに信号線によりデータ授受可能に接続され、あるいは通信回線網や、インターネットやＬＡＮのようなネットワークを通じて接続されていてもよい。
【発明の効果】
【００１３】
以上のように、本発明に係る通信カラオケシステム用通信装置によると、他のカラオケボックスを使用中の知人がいれば、それを感知してコミュニケーションを図ることができる。
【発明を実施するための最良の形態】
【００１４】
以下、図面を参照しつつ本発明に係る通信カラオケシステム用通信装置の最良の形態について詳細に説明する。なお、以下の説明は発明をより深く理解するためのものであって、特許請求の範囲を限定するためのものではない。
【００１５】
図１は、本発明に係る通信カラオケシステム用通信装置の最良の形態の構成の要部を示すブロック図である。
【００１６】
同図において、通信カラオケシステムは、それぞれ電話回線網２０を介してデータ授受可能に接続された配信サーバ１０、複数のカラオケ演奏端末３０及び中央管理装置４０からなる。これらについては本発明の要部ではないので、以下簡単に説明する。配信サーバ１０は、各カラオケ演奏端末３０から要求されたリクエスト信号を受け取って、カラオケデータ記憶部１２からリクエストされた楽曲のカラオケデータを読み出し、カラオケデータ配信部１４からリクエストがなされたカラオケ演奏端末３０に電話回線網２０を通じて配信する。
【００１７】
各カラオケ演奏端末３０は、マイク３１、スピーカ３２、ディスプレイ３４及び操作パネル３６をそれぞれ備えている。顧客がリモコン３７から歌いたい楽曲をリクエストすると、カラオケデータが配信サーバ１０から電話回線網２０を通じて配信される。カラオケ演奏端末３０はカラオケデータを受信し、カラオケデータに従ってスピーカ３２から音声を出力し、ディスプレイ３４に画像を出力する。すなわちカラオケデータに含まれるＭＩＤＩデータを内蔵するシンセサイザ（図示していない）により音声に変換してスピーカ３２から出力し、内蔵するＣＤ−ＲＯＭ（図示していない）から背景データにより指定された画像を読み出して歌詞データと組み合わせてディスプレイ３４上に画像を表示する。各カラオケ演奏端末３０は、複数のカラオケボックスに複数設けられたカラオケルームごとに一台ずつ設置されている他、カラオケスナックなどの飲食店やホテルなどの宿泊施設や民家などに設置される。またカラオケ演奏端末３０にはＣＣＤカメラ３８が備えられており、歌っている人をディスプレイ３４に映し出すことができる。
【００１８】
中央管理装置４０の顧客管理部４２は、電話回線網２０を通じて送信された顧客ＩＤを用いて顧客及びカラオケ演奏端末の利用状況を管理する。顧客ＩＤは、各カラオケ演奏端末から入力されることもあり、各カラオケボックス等の管理者の端末（図示していない）から受付時に入力されることもある。顧客管理部４２は、顧客ＩＤを利用して各顧客ごとに使用中のカラオケ演奏端末の号機とともに、今回の使用時間、過去の使用頻度、過去に歌った楽曲や採点された点数などのデータを収集して種々のサービスに利用すると共に、顧客の要求に応じて、例えば歌った楽曲を頻度順や点数順などに表示できるようになっている。
【００１９】
本発明に係る通信カラオケシステム用通信装置５０は、顧客ＩＤ入力支援部５１、顧客ＩＤ登録部５２、顧客ＩＤ照合部５３、顧客ＩＤ表示部５４、通信承諾指令受信部５５、通信接続部５６及び同期スタート制御部５７とからなる。
【００２０】
顧客ＩＤ入力支援部５１は、顧客がカラオケ演奏端末３０の利用開始時に表示され、自らの顧客ＩＤ及び各顧客の友人や親族や同級生や職場の同僚等の知合いの顧客ＩＤを入力するための入力支援画面をカラオケ演奏端末３０のディスプレイ３４に表示させる。顧客は、リモコン３７または操作パネル３６を操作して自らの顧客ＩＤ及び知合いの顧客ＩＤを入力する。
【００２１】
顧客ＩＤ登録部５２は、顧客ＩＤ入力支援部５１から入力された複数の顧客ＩＤ及び各顧客ＩＤごとに関連づけられた知合いの顧客ＩＤが登録される。登録された顧客ＩＤ及び各ＩＤごとの関連付けられた知合いの顧客ＩＤは、その顧客によるカラオケ演奏端末３０の利用が終了した後も抹消されることなく登録され続ける。
【００２２】
顧客ＩＤ照合部は、カラオケ演奏端末３０またはカラオケボックスの受付の端末から入力され、電話回線網２０を通じて送信された顧客ＩＤである照合基礎ＩＤに関連付けられている他の顧客ＩＤを顧客ＩＤ登録部５２から読み出して、他のカラオケ演奏端末３０を現在使用中の顧客の顧客ＩＤを顧客管理部４２から取得して照合し、関連付けられかつ使用中の顧客ＩＤを照合結果ＩＤとして出力する。照合結果ＩＤは、複数存在することもある。前述のように、顧客ＩＤはカラオケボックスの受付の端末から入力されることもあり、顧客ＩＤ入力支援部５１が表示させる入力支援画面から入力してもよい。複数人で一つのカラオケ演奏端末３０を利用する場合には複数の照合基礎ＩＤが入力されることになる。他の実施の形態においては、顧客ＩＤはＩＤカードに記録したものをカラオケ演奏端末３０に付設したカードリーダにより読取らせることで入力される。
【００２３】
顧客ＩＤ表示部５４は電話回線網２０を通じて、照合結果ＩＤが入力されたカラオケ演奏端末３０のディスプレイ３４に照合基礎ＩＤを送信して表示させ、照合基礎ＩＤが入力されたカラオケ演奏端末３０のディスプレイ３４に照合結果ＩＤを送信して表示させる。複数の照合結果ＩＤが存在する場合には、それぞれの照合結果ＩＤが表示される。
【００２４】
通信承諾指令受信部５５は、それぞれのカラオケ演奏端末の操作により通信を承諾することのできる通信承諾画面をそれぞれのカラオケ演奏端末のディスプレイに送信して表示させる。通信承諾画面には、顧客ＩＤ表示部５４から送信された照合基礎ＩＤまたは照合結果ＩＤが表示され、顧客はディスプレイ３４に表示された通信承諾画面を見ながら、リモコン３７または操作パネル３６の操作により、通信承諾を行うことができる。通信承諾指令受信部５５は各カラオケ演奏端末３０から通信承諾指令を受信する。通信承諾画面は、楽曲と楽曲との間では全画面に表示され、楽曲が流れている間は、歌詞の表示される部分を隠さない位置に分割画面で表示される。
【００２５】
通信接続部５６は、顧客ＩＤ表示部５４が照合基礎ＩＤを表示したカラオケ演奏端末３０と、顧客ＩＤ表示部５４が照合結果ＩＤを表示したカラオケ演奏端末３０との両方から通信承諾指令受信部５５が通信承諾指令を受信した時に、２つのカラオケ演奏端末３０を電話回線網２０を介して相互に通信可能に接続する。
【００２６】
顧客ＩＤ照合部５３による顧客ＩＤの照合は、利用開始時にカラオケボックスの受付の端末に入力された時、及びカラオケ演奏端末３０に入力された時に行われる。カラオケ演奏端末３０への入力は、受付にて手続をした顧客以外の同行する顧客が、例えば楽曲と楽曲との間に、リモコン３７または操作パネル３６の操作により「知合い探索モード」のようなモードにモード切替を行った時に入力する。
【００２７】
通信接続部５６による通信は、音声及び動画像により行われる。通信接続部５６は、一方のカラオケ演奏端末３０のマイク３１により集音され、電話回線網２０を介して受信された音声信号を他方のカラオケ演奏端末３０に電話回線網２０を介して送信する。音声信号は、ＦＭ変調された音声信号をそのまま電話回線網２０を通じて送信するのでは音質が劣化してしまうので、カラオケ演奏端末３０には変調音声信号をＡ／Ｄ変換してデジタル音声データに符号化し、受信したデジタル音声データを復号する符号／復号器が内蔵され（図示していない）、デジタル音声データとして送受信を行う。
【００２８】
また、各カラオケ演奏端末３０はＣＣＤカメラ３８を備えており、通信接続部５６は通信可能な一方のカラオケ演奏端末３０のＣＣＤカメラ３８により撮像され、電話回線網２０を介して受信されたデジタル画像データを他方のカラオケ演奏端末３０に電話回線網２０を介して送信する。
【００２９】
マイク３１を通じて集音された音声データ及びＣＣＤカメラ３８により撮像された画像データにより通信を行う本実施の形態においては、相互に通信中のカラオケ演奏端末３０同士の間ではデュエットや合唱が可能となる。そのために同期スタート制御部５７が設けられており、一方のカラオケ演奏端末３０において選択された楽曲のカラオケデータを他方のカラオケ演奏端末にも配信するように配信サーバ１０に指示を与え、同期してスタートするように両方のカラオケ演奏端末を制御する。同期スタート制御部５７は、両方のカラオケ演奏端末３０にカラオケデータが配信された後、両方のカラオケ演奏端末３０から楽曲スタートが可能になった旨の信号を受信すると、両方のカラオケ演奏端末３０に同時にスタート信号を送信する。
【００３０】
顧客ＩＤは、リモコン３７または操作パネル３６の操作が容易な複数桁の数字である。顧客ＩＤ登録部５２には、本名、電話番号、居住地、所属（学校や会社）、ニックネーム等の各顧客に関する情報が各顧客ＩＤにそれぞれ関連付けられて登録されている。顧客ＩＤ表示部５４は、顧客ＩＤとともに、該顧客ＩＤに関連付けられた顧客に関する情報を顧客ＩＤ登録部５２から読み出して表示させる。これは、顧客ＩＤが会員番号であって意味のない数字の列なので、顧客側が知合いの顧客ＩＤをメモしていない限り通信可能な相手が誰だか判らないことがあるからである。いずれの情報を表示させるかは、顧客ＩＤ登録部５２への登録時に、顧客が選択することができる。
【００３１】
本実施の形態に係る通信カラオケシステム用通信装置５０は、電話回線網２０に接続されたコンピュータとソフトウェアとにより構成されている。
【００３２】
次に、本実施の形態に係る通信カラオケシステム用通信装置５０の作用について、図２を参照しつつ説明する。
【００３３】
図２は、本実施の形態に係る通信カラオケシステム用通信装置５０の処理の流れを説明するフローチャートである。
【００３４】
同図において、顧客は事前に自らの顧客ＩＤ及び関連する他の顧客ＩＤを関連顧客ＩＤとして顧客ＩＤ登録部５２に登録しておく（ステップＳ１）。何れかの顧客の顧客ＩＤがカラオケボックスの受付の端末やカラオケ演奏端末３０に入力されると（ステップＳ２）、電話回線網２０を通じて顧客ＩＤ照合部５３に顧客ＩＤが送信される。顧客ＩＤを受信した顧客ＩＤ照合部５３は、顧客ＩＤ登録部５２から、受信した顧客ＩＤ（照合基礎ＩＤ）に関連顧客ＩＤを読出す（ステップＳ３）。続いて顧客ＩＤ照合部５３は顧客管理部４２にアクセスし、関連顧客ＩＤといずれかのカラオケ演奏端末３０を現在使用中の顧客の顧客ＩＤと照合する（ステップＳ４）。
【００３５】
照合されたものがあった場合には（ステップＳ５）、照合結果ＩＤとして顧客ＩＤ表示部５４に出力され、顧客ＩＤ表示部５４はそれぞれのカラオケ演奏端末３０に顧客ＩＤを表示する。すなわち照合基礎ＩＤを有する顧客の利用しているカラオケ演奏端末３０には照合結果ＩＤを表示し、照合結果ＩＤを有する顧客の利用しているカラオケ演奏端末３０には照合基礎ＩＤを表示する。照合結果ＩＤ及び照合基礎ＩＤは、通信承諾指令受信部５５が送信し、カラオケ演奏端末３０のディスプレイ３４に表示される通信承諾画面上に含まれて表示される（ステップＳ６）。
【００３６】
それぞれの顧客は、それぞれカラオケ演奏端末３０のリモコン３７または操作パネル３６を操作して通信承諾画面上で通信を承諾する操作を行う。この操作により、通信承諾指令受信部５５には、電話回線網２０を通じて通信承諾指令が送信される。但し、一方のカラオケ演奏端末３０から通信承諾指令を受信しても通信を開始することはなく、両方から通信承諾指令を受信して（ステップＳ７、８）、初めて通信接続部がそれぞれのカラオケ演奏端末間３０を電話回線網２０を介して相互に通信可能とし、照合基礎ＩＤと照合結果ＩＤとをそれぞれ有する顧客が利用するカラオケ演奏端末３０間が接続され、通信が開始される（ステップＳ９）。
【００３７】
以上、本発明の実施の形態について説明したが、本発明は上記実施の形態に限定されるものではなく、本発明の要旨の範囲内において、適宜変形実施が可能であることは言うまでもない。
【図面の簡単な説明】
【００３８】
【図１】図１は、本発明に係る通信カラオケシステム用通信装置の一つの実施の形態を示すブロック図である。
【図２】図２は、図１の実施の形態の処理の流れを示すフローチャートである。
【符号の説明】
【００３９】
１０  配信サーバ
１２  カラオケデータ記憶部
１４  カラオケデータ配信部
２０  電話回線網
３０  カラオケ演奏端末
３１  マイク
３２  スピーカ
３４  ディスプレイ
３６  操作パネル
３７  リモコン
３８  ＣＣＤカメラ
４０  中央管理装置
４２  顧客管理部
５０  通信カラオケシステム用通信装置
５１  顧客ＩＤ入力支援部
５２  顧客ＩＤ登録部
５３  顧客ＩＤ照合部
５４  顧客ＩＤ表示部
５５  通信承諾指令受信部
５６  通信接続部
５７  同期スタート制御部
【図１】
2006234890.tif 000003
【図２】
2006234890.tif 000004